(57)【要約】【課題】  デイジーチェーン接続方式の表示システムにおける各通信速度設定値を同じ値に決定するための労力を少なくすることができる通信速度設定値決定方法を提供する。【解決手段】  画像表示装置１００ｂが、画像表示装置１００ａへ速度確認用データを送信し、画像表示装置１００ｂからデータが送信されると、画像表示装置１００ａが画像表示装置１００ｂへ返答データを送信し、返答データを画像表示装置１００ｂが認識すると、画像表示装置１００ｂが、認識時の通信速度設定値を、画像表示装置１００ａと同じ値に決定し、画像表示装置１００ｂが速度確認用データを送信した時点から所定時間内に画像表示装置１００ｂが返答データを認識しなかった場合、画像表示装置１００ｂが、通信速度設定値を変更し、画像表示装置１００ａへ速度確認用データを送信する。【選択図】      図１
2012124618.tif 000002
【特許請求の範囲】
【請求項１】
デイジーチェーン接続方式の表示システムを構成する画像表示装置の通信速度設定値を決定する通信速度設定値決定方法において、
下流側の画像表示装置が、所定の通信速度設定値に従って、上流側の画像表示装置に対して速度確認用データを送信する下流側初期送信ステップと、
上流側の画像表示装置であって、通信速度設定値が決定済みの画像表示装置が、下流側の画像表示装置からデータが送信されてきたときに、決定済みの通信速度設定値に従って、下流側の画像表示装置に対して返答データを送信する上流側送信ステップと、
下流側の画像表示装置が、上流側の画像表示装置から送信されてきた返答データを認識したときに、返答データを認識したときの通信速度設定値を、上流側の画像表示装置の通信速度設定値と同じ通信速度設定値に決定する速度決定ステップと、
下流側の画像表示装置が上流側の画像表示装置に速度確認用データを送信した時点から所定時間以内に下流側の画像表示装置によって返答データが認識されなかった場合に、下流側の画像表示装置が、通信速度設定値を変更し、変更後の通信速度設定値に従って、上流側の画像表示装置に対して速度確認用データを送信する下流側再送信ステップとを含むことを特徴とする通信速度設定値決定方法。
【請求項２】
前記速度決定ステップを行うまで、前記下流側再送信ステップを繰り返し行うことを特徴とする請求項１に記載の通信速度設定値決定方法。
【請求項３】
前記上流側送信ステップでは、上流側の画像表示装置が、下流側の画像表示装置から送信されてきた速度確認用データを認識したときのみ、下流側の画像表示装置に対して返答データを送信することを特徴とする請求項１または２に記載の通信速度設定値決定方法。
【請求項４】
前記下流側再送信ステップでは、大きな通信速度設定値から小さな通信速度設定値に変更することを特徴とする請求項１〜３のいずれか１つに記載の通信速度設定値決定方法。
【請求項５】
上流側の画像表示装置であって、通信速度設定値が決定済みの画像表示装置と、下流側の画像表示装置であって、通信速度設定値が決定済みの画像表示装置との間で、データの送受信を行って、上流側の画像表示装置における決定済みの通信速度設定値と下流側の画像表示装置における決定済みの通信速度設定値とが一致しているか否かを確認する速度一致確認ステップと、
速度一致確認ステップにおいて上流側の画像表示装置における決定済みの通信速度設定値と下流側の画像表示装置における決定済みの通信速度設定値とが一致していなかった場合に、下流側の画像表示装置が、決定済みの通信速度設定値を未決定の状態に戻す初期化ステップとを含むことを特徴とする請求項１〜４のいずれか１つに記載の通信速度設定値決定方法。
【請求項６】
前記デイジーチェーン接続方式の表示システムは、ＲＳ−２３２Ｃ規格に準拠する通信ケーブルで接続されるデイジーチェーン接続方式の表示システムであることを特徴とする請求項１〜５のいずれか１つに記載の通信速度設定値決定方法。
【発明の詳細な説明】
【技術分野】
【０００１】
本発明は、ＲＳ−２３２Ｃ規格などに準拠する通信ケーブルで接続されるデイジーチェーン接続方式の表示システムにおける通信速度設定値決定方法に関する。
【背景技術】
【０００２】
特許文献１には、画像供給装置と複数の画像表示装置とを備える表示システムが開示されている。この表示システムは、画像供給装置を一端として、複数の画像表示装置が数珠繋ぎに接続されている。そして、画像供給装置から送信される画像情報は、画像供給装置に接続される画像表示装置、すなわち最上流の画像表示装置によって受信され、該画像表示装置よりも下流側の画像表示装置に順次転送される。
【０００３】
このような数珠繋ぎの接続方式は、デイジーチェーン接続方式と呼ばれる。特許文献１に記載されているデイジーチェーン接続方式の表示システムは、ＵＳＢ（Universal Serial Bus）規格またはイーサネット（登録商標）規格に準拠する通信ケーブルによって各装置が接続され、この通信ケーブルを介してデータ通信が行われる。
【０００４】
一般的に、特許文献１に記載の表示システムのように、２つの装置間でのデータ通信を成立させるためには、該２つの装置における通信速度設定値（ボーレート）を同じ値に決定した上で、データ通信を行う必要がある。通信速度設定値が同じ値になっていなければ、送信側の装置が生成する送信データに対応する電気信号の周期と、受信側の装置が生成すべき受信データに対応する電気信号の周期とが異なってしまうからである。
【０００５】
上記のように、特許文献１に記載の表示システムでは、ＵＳＢ規格またはイーサネット規格に準拠する通信ケーブルによって２つの装置が接続されている。したがって、２つの装置自体が、通信速度設定値を同じ値に決定した後に、データ通信を行う。すなわち、ＵＳＢ規格またはイーサネット規格に準拠する通信ケーブルによって２つの装置が接続されている場合、自動的に、通信速度設定値が同じ値に決定される。
【０００６】
なお、表示システムとは異なる技術分野である通信システムの分野では、特許文献２に記載のように、２つの装置間の通信速度設定値を同じ値に揃えるだけではなく、該２つの装置間で揃えることができる最大の通信速度設定値に自動的に決定する技術が知られている。この特許文献２に記載の技術は、特許文献１に記載のような、ＵＳＢ規格またはイーサネット規格に準拠する通信ケーブルによって接続されるデイジーチェーン接続方式の表示システムに応用可能である。
【０００７】
ＵＳＢ規格またはイーサネット規格以外の規格としては、ＲＳ−２３２Ｃ規格という規格が知られている。ＲＳ−２３２Ｃ規格に準拠する通信ケーブルによって２つの装置が接続されている場合であっても、上述したように、通信速度設定値を同じ値に決定した上でデータ通信を行わなければ、データ通信を成立させることはできない。
【先行技術文献】
【特許文献】
【０００８】
【特許文献１】特開２０１０−１６４６２６号公報
【特許文献２】特開昭６０−１０９３４３号公報
【発明の概要】
【発明が解決しようとする課題】
【０００９】
ＲＳ−２３２Ｃ規格に準拠する通信ケーブルによって２つの装置が接続されている場合、ＵＳＢ規格やイーサネット規格の場合とは異なり、自動的に通信速度設定値を同じ値に決定するということはできない。したがって、ＲＳ−２３２Ｃ規格に準拠する通信ケーブルによって各装置が接続される表示システムの場合、各画像表示装置の通信速度設定値を手動で同じ値に決定する必要があり、ユーザの労力が必要であるという課題がある。
【００１０】
本発明は、ＲＳ−２３２Ｃ規格のような通信速度設定値が自動的に決定されない規格における上記の課題を解決するためのものであり、デイジーチェーン接続方式の表示システムにおける各通信速度設定値を同じ値に決定するための労力を少なくすることができる通信速度設定値決定方法を提供することを目的とする。
【課題を解決するための手段】
【００１１】
本発明は、デイジーチェーン接続方式の表示システムを構成する画像表示装置の通信速度設定値を決定する通信速度設定値決定方法において、
下流側の画像表示装置が、所定の通信速度設定値に従って、上流側の画像表示装置に対して速度確認用データを送信する下流側初期送信ステップと、
上流側の画像表示装置であって、通信速度設定値が決定済みの画像表示装置が、下流側の画像表示装置からデータが送信されてきたときに、決定済みの通信速度設定値に従って、下流側の画像表示装置に対して返答データを送信する上流側送信ステップと、
下流側の画像表示装置が、上流側の画像表示装置から送信されてきた返答データを認識したときに、返答データを認識したときの通信速度設定値を、上流側の画像表示装置の通信速度設定値と同じ通信速度設定値に決定する速度決定ステップと、
下流側の画像表示装置が上流側の画像表示装置に速度確認用データを送信した時点から所定時間以内に下流側の画像表示装置によって返答データが認識されなかった場合に、下流側の画像表示装置が、通信速度設定値を変更し、変更後の通信速度設定値に従って、上流側の画像表示装置に対して速度確認用データを送信する下流側再送信ステップとを含むことを特徴とする通信速度設定値決定方法である。
【００１２】
また本発明は、前記速度決定ステップを行うまで、前記下流側再送信ステップを繰り返し行うことを特徴とする。
【００１３】
また本発明は、前記上流側送信ステップでは、上流側の画像表示装置が、下流側の画像表示装置から送信されてきた速度確認用データを認識したときのみ、下流側の画像表示装置に対して返答データを送信することを特徴とする。
【００１４】
また本発明は、前記下流側再送信ステップでは、大きな通信速度設定値から小さな通信速度設定値に変更することを特徴とする。
【００１５】
また本発明は、上流側の画像表示装置であって、通信速度設定値が決定済みの画像表示装置と、下流側の画像表示装置であって、通信速度設定値が決定済みの画像表示装置との間で、データの送受信を行って、上流側の画像表示装置における決定済みの通信速度設定値と下流側の画像表示装置における決定済みの通信速度設定値とが一致しているか否かを確認する速度一致確認ステップと、
速度一致確認ステップにおいて上流側の画像表示装置における決定済みの通信速度設定値と下流側の画像表示装置における決定済みの通信速度設定値とが一致していなかった場合に、下流側の画像表示装置が、決定済みの通信速度設定値を未決定の状態に戻す初期化ステップとを含むことを特徴とする。
【００１６】
また本発明は、前記デイジーチェーン接続方式の表示システムは、ＲＳ−２３２Ｃ規格に準拠する通信ケーブルで接続されるデイジーチェーン接続方式の表示システムであることを特徴とする。
【発明の効果】
【００１７】
本発明によれば、下流側初期送信ステップにおいて、下流側の画像表示装置が、上流側の画像表示装置に対して、速度確認用データを送信する。上流側送信ステップでは、上流側の画像表示装置が、下流側の画像表示装置からデータが送信されてきたときに、該下流側の画像表示装置に対して返答データを送信する。そして、速度決定ステップでは、下流側の画像表示装置が、上流側の画像表示装置から送信されてきた返答データを認識したときに、該返答データを認識したときの通信速度設定値を、上流側の画像表示装置の通信速度設定値と同じ通信速度設定値に決定する。したがって、上流側の画像表示装置の通信速度設定値と下流側初期送信ステップのときの下流側の画像表示装置の通信速度設定値とが同じである場合、下流側の画像表示装置の通信速度設定値は、下流側初期送信ステップのときの通信速度設定値に決定される。よって、通信速度設定値の決定後は、決定済みの通信速度設定値に従って、上流側の画像表示装置と下流側の画像表示装置との間で、データ通信を行うことができる。
【００１８】
また本発明では、下流側の画像表示装置が上流側の画像表示装置に速度確認用データを送信した時点から所定時間以内に該下流側の画像表示装置によって返答データが認識されなかった場合、下流側再送信ステップを行う。下流側再送信ステップでは、下流側の画像表示装置は、通信速度設定値を変更し、変更後の通信速度設定値に従って、上流側の画像表示装置に対して速度確認用データを送信する。そして、上述したように、上流側送信ステップでは、上流側の画像表示装置が、下流側の画像表示装置からデータが送信されてきたときに、該下流側の画像表示装置に対して返答データを送信し、速度決定ステップでは、下流側の画像表示装置が、上流側の画像表示装置から送信されてきた返答データを認識したときに、該返答データを認識したときの通信速度設定値を、上流側の画像表示装置の通信速度設定値と同じ通信速度設定値に決定する。したがって、上流側の画像表示装置の通信速度設定値と下流側初期送信ステップのときの下流側の画像表示装置の通信速度設定値とが異なり、上流側の画像表示装置の通信速度設定値と下流側再送信ステップのときの下流側の画像表示装置の変更後の通信速度設定値とが同じである場合、下流側の画像表示装置の通信速度設定値は、下流側再送信ステップのときの変更後の通信速度設定値に決定される。通信速度設定値の決定後は、決定済みの通信速度設定値に従って、上流側の画像表示装置と下流側の画像表示装置との間で、データ通信を行うことができる。
【００１９】
このように、本発明では、下流側初期送信ステップと下流側再送信ステップとによって、下流側の画像表示装置の通信速度設定値を、上流側の画像表示装置の通信速度設定値と同じ値に決定することができる。よって、デイジーチェーン接続方式の表示システムにおいて、各通信速度設定値を同じ値に決定するための労力を少なくすることができる。
【００２０】
また本発明によれば、速度決定ステップを行うまで、下流側再送信ステップを繰り返し行う。したがって、より確実に、下流側の画像表示装置の通信速度設定値を、上流側の画像表示装置の通信速度設定値と同じ値に決定することができる。
【００２１】
また本発明によれば、上流側送信ステップでは、上流側の画像表示装置が、下流側の画像表示装置から送信されてきた速度確認用データを認識したときのみ、該下流側の画像表示装置に対して返答データを送信する。上流側の画像表示装置が速度確認用データを認識できるのは、上流側の画像表示装置の通信速度設定値と下流側の画像表示装置の通信速度設定値とが同じ場合である。したがって、本発明では、速度決定ステップだけではなく、上流側送信ステップにおいても、上流側の画像表示装置の通信速度設定値と下流側の画像表示装置の通信速度設定値とが同じ値であることを確認することができる。よって、下流側の画像表示装置の通信速度設定値が上流側の画像表示装置の通信速度設定値とは異なる値に誤って決定されてしまうことを、防止することができる。
【００２２】
また本発明によれば、下流側再送信ステップでは、大きな通信速度設定値から小さな通信速度設定値に変更する。したがって、大きな通信速度設定値に従って速度確認用データを送った後、小さな通信速度設定値に従って速度確認用データを送ることになる。通信速度設定値が大きい方が、速度確認用データの送信に掛かる時間は短くなる。よって、本発明では、下流側の画像表示装置の通信速度設定値を、上流側の画像表示装置の通信速度設定値と同じ値に決定するまでの時間についての、種々の表示システムにおける平均時間を短くすることができる。
【００２３】
また本発明によれば、下流側の画像表示装置の通信速度設定値が決定済みである場合、速度一致確認ステップにおいて、上流側の画像表示装置における決定済みの通信速度設定値と下流側の画像表示装置における決定済みの通信速度設定値とが一致しているか否かを確認する。そして、上流側の画像表示装置における決定済みの通信速度設定値と下流側の画像表示装置における決定済みの通信速度設定値とが一致していなかった場合、初期化ステップにおいて、下流側の画像表示装置は、決定済みの通信速度設定値を未決定の状態に戻す。その後、上記下流側初期送信ステップおよび上記下流側再送信ステップを行い、下流側の画像表示装置の通信速度設定値を、上流側の画像表示装置の通信速度設定値と同じ値に決定する。したがって、上流側の画像表示装置の通信速度設定値と下流側の画像表示装置の決定済みの通信速度設定値とが異なった場合に、下流側の画像表示装置の通信速度設定値を、上流側の画像表示装置の通信速度設定値と同じ値に決定することができる。
【００２４】
また本発明によれば、ＲＳ−２３２Ｃ規格に準拠する通信ケーブルで接続されるデイジーチェーン接続方式の表示システムを構成する画像表示装置の通信速度設定値を決定する通信速度設定値決定方法を提供することができる。
【図面の簡単な説明】
【００２５】
【図１】表示システム１０００の構成を示す模式図である。
【図２】画像表示装置１００の構成を示すブロック図である。
【図３】画像供給装置２００の構成を示すブロック図である。
【図４Ａ】通信速度設定値決定処理を示すフローチャートである。
【図４Ｂ】通信速度設定値決定処理を示すフローチャートである。
【発明を実施するための形態】
【００２６】
まず、本発明に係る通信速度設定値決定処理を実行するための表示システムである表示システム１０００について説明する。図１は、表示システム１０００の構成を示す模式図である。表示システム１０００は、画像表示装置１００ａ，１００ｂ，１００ｃと、画像供給装置２００とによって構成される。画像表示装置１００ａ〜１００ｃについて、特に区別しない場合は、画像表示装置１００と表す。
【００２７】
図２は、画像表示装置１００の構成を示すブロック図である。画像表示装置１００としては、有機ＥＬ（Electro Luminescence）画像表示装置、液晶画像表示装置、プラズマ画像表示装置、ＬＥＤ（Light Emitting Diode）画像表示装置などのフラットパネル画像表示装置や、ＣＲＴ（Cathode Ray Tube）画像表示装置などを用いることができる。画像表示装置１００は、表示部１１０、画像表示装置側通信部１２０、画像表示装置側記憶部１３０、および画像表示装置側制御部１４０を有する。
【００２８】
表示部１１０は、画像データに基づく画像を表示するモジュールである。たとえば、画像表示装置１００が液晶画像表示装置である場合、表示部１１０は、液晶パネルとバックライトユニットと偏光板と拡散板と保護ガラスとによって構成される。表示部１１０に表示される画像は、静止画像であってもよく、動画像であってもよい。
【００２９】
画像表示装置側制御部１４０は、表示部１１０、画像表示装置側記憶部１３０、および画像表示装置側通信部１２０を制御するモジュールであり、たとえば、ＣＰＵ（Central Processing Unit）などである。画像表示装置側制御部１４０は、複数のＩＣ（Integrated Circuit）チップによって構成されてもよい。
【００３０】
画像表示装置側通信部１２０は、画像供給装置２００および他の画像表示装置１００とのデータ通信を行うためのモジュールであり、ＲＳ−２３２Ｃ規格などの規格に準拠する通信ケーブルを接続するためのインターフェイス部を含んでいる。画像表示装置側通信部１２０は、出力用インターフェイス部１２１と入力用インターフェイス部１２２とを含み、１つの通信ケーブルは、一の画像表示装置１００の出力用インターフェイス部１２１と、他の画像表示装置１００の入力用インターフェイス部１２２とに接続される。
【００３１】
画像表示装置１００ａ、画像表示装置１００ｂ、および画像表示装置１００ｃは、画像表示装置１００ａを最上流の画像表示装置１００として、この順序で数珠繋ぎに接続される。このとき、通信ケーブルの一方端が上流側の画像表示装置１００の出力用インターフェイス部１２１に接続され、他方端が下流側の画像表示装置１００の入力用インターフェイス部１２２に接続される。なお、画像表示装置１００と画像供給装置２００との間においては、最上流の画像表示装置１００である画像表示装置１００ａの入力用インターフェイス部１２２と、後述する画像供給装置２００のインターフェイス部２２１とに、通信ケーブルが接続される。
【００３２】
上記のように複数の装置が数珠繋ぎに接続される接続方式を、デイジーチェーン接続方式と称する。デイジーチェーン接続方式では、画像表示装置１００は、該画像表示装置１００よりも１つ上流側の装置および１つ下流側の装置との間においてのみ、直接的なデータの送受信を行う。
【００３３】
出力用インターフェイス部１２１および入力用インターフェイス部１２２は、データ通信に係るデータを一時的に格納するレジスタをそれぞれ含んでいる。画像表示装置側制御部１４０は、入力用インターフェイス部１２２内のレジスタに格納されるデータを、上流側の装置との間のデータ通信に係るデータであると認識し、出力用インターフェイス部１２１内のレジスタに格納されるデータを、下流側の装置との間のデータ通信に係るデータであると認識する。したがって、たとえば画像表示装置１００ａは、通信ケーブルを介して入力用インターフェイス部１２２内のレジスタに格納されたデータを、画像供給装置２００から送信されたデータであると認識し、通信ケーブルを介して出力用インターフェイス部１２１内のレジスタに格納されたデータを、画像表示装置１００ｂから送信されたデータであると認識する。
【００３４】
画像表示装置側記憶部１３０は、画像表示装置側制御部１４０によって実行される各種プログラムを表すプログラムデータおよび表示部１１０に表示される画像の基になる画像データなどを、不揮発的に記憶するＲＯＭ（Read Only Memory）などの不揮発性メモリと、一時的に格納するＲＡＭ（Random Access Memory）などの揮発性メモリとを含む。
【００３５】
また、画像表示装置側記憶部１３０は、通信速度設定値および決定フラグデータを記憶する。画像表示装置側通信部１２０によるデータ通信は、通信速度設定値に従って、該通信速度設定値が示す通信速度で行われる。本実施形態では、通信速度設定値として、９６００ｂｐｓ、１９２００ｂｐｓ、３８４００ｂｐｓ、および１１５２００ｂｐｓの４種類のうちのいずれか１種類が設定される。画像表示装置１００の出荷時では、通信速度設定値は、たとえば、３８４００ｂｐｓに設定されている。
【００３６】
決定フラグデータは、他の装置との間のデータ通信に用いる通信速度設定値を決定済みの状態であるか、または未決定の状態であるかを示すデータである。ユーザが、リモートコントローラなどを用いて、画像表示装置１００の通信速度設定値を、出荷時の状態から変更した場合や、後述する通信速度設定値決定処理における速度決定ステップが行われた場合に、決定フラグデータは、未決定の状態を示すデータから、決定済みの状態を示すデータに書き換えられる。また、後述する通信速度設定値決定処理における初期化ステップが行われた場合に、決定フラグデータは、決定済みの状態を示すデータから、未決定の状態を示すデータに書き換えられる。
【００３７】
図３は、画像供給装置２００の構成を示すブロック図である。画像供給装置２００としては、ＰＣ（Personal Computer）などを用いることができる。画像供給装置２００は、画像供給装置側記憶部２１０、画像供給装置側通信部２２０、および画像供給装置側制御部２３０を有する。
【００３８】
画像供給装置側制御部２３０は、画像供給装置側記憶部２１０および画像供給装置側通信部２２０を制御するモジュールであり、たとえば、ＣＰＵ、ＩＣチップなどである。
【００３９】
画像供給装置側通信部２２０は、画像表示装置１００とのデータ通信を行うためのモジュールであり、ＲＳ−２３２Ｃ規格などの規格に準拠する通信ケーブルを接続するためのインターフェイス部２２１を含んでいる。
【００４０】
画像供給装置側記憶部２１０は、画像供給装置側制御部２３０によって実行される各種プログラムを表すプログラムデータおよび画像データなどを、不揮発的に記憶するＲＯＭなどの不揮発性メモリと、一時的に格納するＲＡＭなどの揮発性メモリとを含む。
【００４１】
また、画像供給装置側記憶部２１０は、通信速度設定値を記憶している。画像供給装置側通信部２２０によるデータ通信は、通信速度設定値に従って、該通信速度設定値が示す通信速度で行われる。画像表示装置１００との間のデータ通信に用いる通信速度設定値は、９６００ｂｐｓ、１９２００ｂｐｓ、３８４００ｂｐｓ、および１１５２００ｂｐｓのうち、たとえば、ユーザによって予め１９２００ｂｐｓに決定されている。
【００４２】
このように構成される各画像表示装置１００および画像供給装置２００を含む表示システム１０００では、画像供給装置側制御部２３０によって、画像供給装置側記憶部２１０に記憶される画像データが、画像供給装置側通信部２２０および画像表示装置側通信部１２０を介して、各画像表示装置１００へ送信される。そして、画像供給装置２００から送信されてきた画像データに基づいて、画像表示装置側制御部１４０によって表示部１１０が制御されることで、該表示部１１０に画像が表示される。
【００４３】
次に、表示システム１０００による通信速度設定値決定処理について説明する。通信速度設定値決定処理は、下流側の装置（たとえば画像表示装置１００ｂ）の通信速度設定値を、該下流側の装置の１つ上流側の装置（たとえば画像表示装置１００ａ）の通信速度設定値と同じ通信速度設定値に決定する処理である。
【００４４】
図４Ａおよび図４Ｂは、通信速度設定値決定処理を示すフローチャートである。通信速度設定値決定処理は、ステップＳ１〜ステップＳ２１の処理を含み、画像表示装置１００ｂに電源が投入されることで、ステップＳ１の処理が開始する。
【００４５】
ステップＳ１では、画像表示装置１００ｂの画像表示装置側制御部１４０が、画像表示装置側記憶部１３０に記憶されている決定フラグデータに基づいて、通信速度設定値が決定済みか未決定かを確認する。通信速度設定値が決定済みの場合はステップＳ２へ処理が進み、通信速度設定値が未決定の場合はステップＳ５へ処理が進む。
【００４６】
ステップＳ２は、通信速度設定値が決定済みの上流側の装置である画像表示装置１００ａと、通信速度設定値が決定済みの下流側の装置である画像表示装置１００ｂとの間で、データの送受信を行って、画像表示装置１００ａにおける決定済みの通信速度設定値と画像表示装置１００ｂにおける決定済みの通信速度設定値とが一致しているか否かを確認する速度一致確認ステップである。
【００４７】
より詳細には、ステップＳ２では、まず、下流側の装置である画像表示装置１００ｂの画像表示装置側制御部１４０が、一致確認用データを生成して、該一致確認用データを、画像表示装置側通信部１２０を介して、上流側の装置である画像表示装置１００ａへ送信する。一致確認用データは、画像表示装置側記憶部１３０に記憶されている通信速度設定値に基づいて生成される。
【００４８】
一致確認用データは、たとえば、「ＣＯ９６００」などの文字データである。「ＣＯ」は一致確認用データであることを示し、「９６００」は画像表示装置１００ｂの決定済みの通信速度設定値が９６００ｂｐｓであることを示している。
【００４９】
画像表示装置１００ａの通信速度設定値が画像表示装置１００ｂの通信速度設定値と同じ値（９６００ｂｐｓ）である場合、画像表示装置１００ａは、上記一致確認用データを受信すると、画像表示装置側制御部１４０によって、受信したデータが一致確認用データであることを認識する。そして、画像表示装置１００ａは、一致確認用データを認識すると、画像表示装置側記憶部１３０に記憶されている決定フラグデータに基づいて、画像表示装置側制御部１４０によって、通信速度設定値が決定済みか未決定かを確認する。通信速度設定値が決定済みの場合、画像表示装置１００ａの画像表示装置側制御部１４０は、一致確認用データを認識してから所定時間（たとえば１秒程度）以内に、認識した一致確認用データと同じ一致確認用データを、画像表示装置側通信部１２０を介して画像表示装置１００ｂへ送信する。なお、画像表示装置１００ａの決定済みの通信速度設定値が画像表示装置１００ｂの通信速度設定値と同じ値（９６００ｂｐｓ）でない場合、画像表示装置１００ａの画像表示装置側制御部１４０は、一致確認用データを受信することはできても、受信したデータが一致確認用データであることは認識できない。
【００５０】
画像表示装置１００ｂは、一致確認用データを送信してから所定時間（たとえば５秒程度）以内に一致確認用データを受信し、かつ受信したデータが一致確認用データであることを、画像表示装置１００ｂの画像表示装置側制御部１４０によって認識した場合、画像表示装置１００ａにおける決定済みの通信速度設定値と画像表示装置１００ｂにおける決定済みの通信速度設定値とが一致していることを確認する。
【００５１】
ステップＳ３では、ステップＳ２において通信速度設定値の一致が確認されなかった場合、ステップＳ４へ処理が進む。ステップＳ２において通信速度設定値の一致が確認された場合、下流側の装置である画像表示装置１００ｂの通信速度設定値が、上流側の装置である画像表示装置１００ａの通信速度設定値と同じ値に決定されていることになる。このとき、画像表示装置１００ａと画像表示装置１００ｂとの間でのデータ通信は可能な状態になっているので、通信速度設定値決定処理が終了する。
【００５２】
ステップＳ４は、ステップＳ２において通信速度設定値の一致が確認されなかった場合に、下流側の装置である画像表示装置１００ｂが、決定済みの通信速度設定値を未決定の状態に戻す初期化ステップである。より詳細には、ステップＳ４では、画像表示装置１００ｂの画像表示装置側制御部１４０が、画像表示装置側記憶部１３０に記憶されている決定フラグデータを、決定済みの状態を示すデータから、未決定の状態を示すデータに書き換える。ステップＳ４の処理が終了すると、ステップＳ５の処理へ進む。
【００５３】
ステップＳ５は、下流側の装置である画像表示装置１００ｂが、所定の通信速度設定値に従って、上流側の装置である画像表示装置１００ａに対して速度確認用データを送信する下流側初期送信ステップである。より詳細には、ステップＳ５では、画像表示装置１００ｂの画像表示装置側制御部１４０が、速度確認用データを生成し、該速度確認用データを、画像表示装置側通信部１２０を介して、画像表示装置側記憶部１３０に記憶されている通信速度設定値に基づく通信速度で、画像表示装置１００ａへ送信する。
【００５４】
ステップＳ５における所定の通信速度設定値は、４種類の通信速度設定値のうちのいずれか１種類であり、本実施形態では、最も大きな通信速度設定値（１１５２００ｂｐｓ）である。たとえば、出荷時の通信速度設定値が３８４００ｂｐｓである場合、画像表示装置側制御部１４０は、通信速度設定値を１１５２００ｂｐｓに変更した後、変更した通信速度設定値に従って、速度確認用データを送信する。なお、本発明の他の実施形態としては、所定の通信速度設定値を、出荷時の通信速度設定値としてもよい。
【００５５】
速度確認用データは、たとえば、「ＳＰＥＥＤ」などの文字データである。画像表示装置１００ｂの通信速度設定値が９６００ｂｐｓである場合は、「ＳＰＥＥＤ」という速度確認用データの送信に掛かる時間は、５ミリ秒程度である。
【００５６】
さらに、画像表示装置１００ｂの画像表示装置側制御部１４０は、ステップＳ５において、速度確認用データを送信した時点から、画像表示装置側通信部１２０の監視を開始する。このようなステップＳ５の処理が終了すると、ステップＳ６の処理へ進む。
【００５７】
画像表示装置１００ａの通信速度設定値が画像表示装置１００ｂの通信速度設定値と同じ値（１１５２００ｂｐｓ）である場合、画像表示装置１００ａは、ステップＳ５において送信された速度確認用データを受信すると、画像表示装置側制御部１４０によって、受信したデータが速度確認用データであることを認識する（ステップＳ６）。すなわち、上流側の装置である画像表示装置１００ａは、「ＳＰＥＥＤ」という速度確認用データを認識する。画像表示装置１００ａの通信速度設定値が画像表示装置１００ｂの通信速度設定値と同じ値（１１５２００ｂｐｓ）でない場合、画像表示装置１００ａの画像表示装置側制御部１４０は、速度確認用データを受信しても、受信したデータが速度確認用データであることは認識できない。
【００５８】
さらに、ステップＳ６では、画像表示装置１００ａは、速度確認用データを認識すると、画像表示装置側記憶部１３０に記憶されている決定フラグデータに基づいて、画像表示装置側制御部１４０によって、通信速度設定値が決定済みか未決定かを確認する。速度確認用データを認識し、かつ、通信速度設定値が決定済みであると確認された場合のみ、ステップＳ７へ処理が進み、そうでない場合は、ステップＳ８へ処理が進む。
【００５９】
ステップＳ７は、通信速度設定値が決定済みの上流側の装置である画像表示装置１００ａが、下流側の装置である画像表示装置１００ｂからデータが送信されてきたときに、決定済みの通信速度設定値に従って、該画像表示装置１００ｂに対して返答データを送信する第１の上流側送信ステップである。より詳細には、ステップＳ７では、画像表示装置１００ａの画像表示装置側制御部１４０が、返答データを生成し、生成した返答データを、ステップＳ６において速度確認用データを認識してから所定時間（たとえば１秒程度）以内に、画像表示装置側通信部１２０を介して、画像表示装置側記憶部１３０に記憶されている通信速度設定値に基づく通信速度で、画像表示装置１００ｂへ送信する。返答データは、たとえば、「ＯＫ」などの文字データである。ステップＳ７の処理が終了すると、ステップＳ８の処理へ進む。
【００６０】
ステップＳ８では、ステップＳ５において画像表示装置１００ｂの画像表示装置側制御部１４０が画像表示装置側通信部１２０の監視を開始した時点から所定の監視時間（たとえば５秒程度）以内に、該画像表示装置側制御部１４０によって返答データが認識された場合、ステップＳ２１へ処理が進み、認識されなかった場合、ステップＳ９へ処理が進む。ステップＳ８において画像表示装置１００ｂが返答データを認識するのは、ステップＳ７において画像表示装置１００ａから返答データが送信され、かつ、該画像表示装置１００ａの通信速度設定値と画像表示装置１００ｂの通信速度設定値とが同じときである。ステップＳ８では、画像表示装置側制御部１４０は、返答データを認識した時点か、または、監視時間の経過時点で、画像表示装置側通信部１２０の監視を終了する。
【００６１】
ステップＳ９は、画像表示装置１００ｂが監視を開始した時点（ステップＳ５）から所定の監視時間以内に該画像表示装置１００ｂによって返答データが認識されなかった場合に行われる第１の下流側再送信ステップであって、該画像表示装置１００ｂが、通信速度設定値を変更し、変更後の通信速度設定値に従って、上流側の装置である画像表示装置１００ａに対して速度確認用データを送信する第１の下流側再送信ステップである。より詳細には、ステップＳ９では、画像表示装置１００ｂの画像表示装置側制御部１４０が、画像表示装置側記憶部１３０に記憶されている通信速度設定値を変更し、速度確認用データ（「ＳＰＥＥＤ」）を生成し、該速度確認用データを、画像表示装置側通信部１２０を介して、変更後の通信速度設定値に基づく通信速度で、画像表示装置１００ａへ送信する。
【００６２】
ステップＳ９では、４種類の通信速度設定値のうち、ステップＳ５において速度確認用データを送信したときの通信速度設定値とは異なる通信速度設定値に変更される。本実施形態では、２番目に大きな通信速度設定値（３８４００ｂｐｓ）、すなわち、１１５２００ｂｐｓよりも小さな値に変更される。
【００６３】
画像表示装置１００ｂは、さらに、ステップＳ９において、速度確認用データを送信した時点から、画像表示装置側通信部１２０の監視を開始する。このようなステップＳ９の処理が終了すると、ステップＳ１０の処理へ進む。
【００６４】
画像表示装置１００ａの通信速度設定値が画像表示装置１００ｂの通信速度設定値と同じ値（３８４００ｂｐｓ）である場合、画像表示装置１００ａは、ステップＳ９において送信された速度確認用データを受信すると、画像表示装置側制御部１４０によって、受信したデータが速度確認用データであることを認識する（ステップＳ１０）。すなわち、上流側の装置である画像表示装置１００ａは、「ＳＰＥＥＤ」という速度確認用データを認識する。画像表示装置１００ａの通信速度設定値が画像表示装置１００ｂの通信速度設定値と同じ値（３８４００ｂｐｓ）でない場合、画像表示装置１００ａの画像表示装置側制御部１４０は、速度確認用データを受信しても、受信したデータが速度確認用データであることは認識できない。
【００６５】
さらに、ステップＳ１０では、画像表示装置１００ａは、速度確認用データを認識すると、画像表示装置側記憶部１３０に記憶されている決定フラグデータに基づいて、画像表示装置側制御部１４０によって、通信速度設定値が決定済みか未決定かを確認する。速度確認用データを認識し、かつ、通信速度設定値が決定済みであると確認された場合のみ、ステップＳ１１へ処理が進み、そうでない場合は、ステップＳ１２へ処理が進む。
【００６６】
ステップＳ１１は、通信速度設定値が決定済みの上流側の装置である画像表示装置１００ａが、下流側の装置である画像表示装置１００ｂからデータが送信されてきたときに、決定済みの通信速度設定値に従って、該画像表示装置１００ｂに対して返答データを送信する第２の上流側送信ステップである。より詳細には、ステップＳ１１では、画像表示装置１００ａの画像表示装置側制御部１４０が、返答データ（「ＯＫ」）を生成し、生成した返答データを、ステップＳ１０において速度確認用データを認識してから所定時間（たとえば１秒程度）以内に、画像表示装置側通信部１２０を介して、画像表示装置側記憶部１３０に記憶されている通信速度設定値に基づく通信速度で、画像表示装置１００ｂへ送信する。ステップＳ１１の処理が終了すると、ステップＳ１２の処理へ進む。
【００６７】
ステップＳ１２では、ステップＳ９において画像表示装置１００ｂの画像表示装置側制御部１４０が画像表示装置側通信部１２０の監視を開始した時点から所定の監視時間（たとえば５秒程度）以内に、該画像表示装置側制御部１４０によって返答データが認識された場合、ステップＳ２１へ処理が進み、認識されなかった場合、ステップＳ１３へ処理が進む。ステップＳ１２において画像表示装置１００ｂが返答データを認識するのは、ステップＳ１１において画像表示装置１００ａから返答データが送信され、かつ、該画像表示装置１００ａの通信速度設定値と画像表示装置１００ｂの通信速度設定値とが同じときである。ステップＳ１２では、画像表示装置側制御部１４０は、返答データを認識した時点か、または、監視時間の経過時点で、画像表示装置側通信部１２０の監視を終了する。
【００６８】
ステップＳ１３は、画像表示装置１００ｂが監視を開始した時点（ステップＳ９）から所定の監視時間以内に該画像表示装置１００ｂによって返答データが認識されなかった場合に行われる第２の下流側再送信ステップであって、該画像表示装置１００ｂが、通信速度設定値を変更し、変更後の通信速度設定値に従って、上流側の装置である画像表示装置１００ａに対して速度確認用データを送信する第２の下流側再送信ステップである。より詳細には、ステップＳ１３では、画像表示装置１００ｂの画像表示装置側制御部１４０が、画像表示装置側記憶部１３０に記憶されている通信速度設定値を変更し、速度確認用データ（「ＳＰＥＥＤ」）を生成し、該速度確認用データを、画像表示装置側通信部１２０を介して、変更後の通信速度設定値に基づく通信速度で、画像表示装置１００ａへ送信する。
【００６９】
ステップＳ１３では、４種類の通信速度設定値のうち、ステップＳ５およびステップＳ９において速度確認用データを送信したときの通信速度設定値とは異なる通信速度設定値に変更される。本実施形態では、３番目に大きな通信速度設定値（１９２００ｂｐｓ）、すなわち、３８４００ｂｐｓよりも小さな値に変更される。
【００７０】
画像表示装置１００ｂは、さらに、ステップＳ１３において、速度確認用データを送信した時点から、画像表示装置側通信部１２０の監視を開始する。このようなステップＳ１３の処理が終了すると、ステップＳ１４の処理へ進む。
【００７１】
画像表示装置１００ａの通信速度設定値が画像表示装置１００ｂの通信速度設定値と同じ値（１９２００ｂｐｓ）である場合、画像表示装置１００ａは、ステップＳ１３において送信された速度確認用データを受信すると、画像表示装置側制御部１４０によって、受信したデータが速度確認用データであることを認識する（ステップＳ１４）。すなわち、上流側の装置である画像表示装置１００ａは、「ＳＰＥＥＤ」という速度確認用データを認識する。画像表示装置１００ａの通信速度設定値が画像表示装置１００ｂの通信速度設定値と同じ値（１９２００ｂｐｓ）でない場合、画像表示装置１００ａの画像表示装置側制御部１４０は、速度確認用データを受信しても、受信したデータが速度確認用データであることは認識できない。
【００７２】
さらに、ステップＳ１４では、画像表示装置１００ａは、速度確認用データを認識すると、画像表示装置側記憶部１３０に記憶されている決定フラグデータに基づいて、画像表示装置側制御部１４０によって、通信速度設定値が決定済みか未決定かを確認する。速度確認用データを認識し、かつ、通信速度設定値が決定済みであると確認された場合のみ、ステップＳ１５へ処理が進み、そうでない場合は、ステップＳ１６へ処理が進む。
【００７３】
ステップＳ１５は、通信速度設定値が決定済みの上流側の装置である画像表示装置１００ａが、下流側の装置である画像表示装置１００ｂからデータが送信されてきたときに、決定済みの通信速度設定値に従って、該画像表示装置１００ｂに対して返答データを送信する第３の上流側送信ステップである。より詳細には、ステップＳ１５では、画像表示装置１００ａの画像表示装置側制御部１４０が、返答データ（「ＯＫ」）を生成し、生成した返答データを、ステップＳ１４において速度確認用データを認識してから所定時間（たとえば１秒程度）以内に、画像表示装置側通信部１２０を介して、画像表示装置側記憶部１３０に記憶されている通信速度設定値に基づく通信速度で、画像表示装置１００ｂへ送信する。ステップＳ１５の処理が終了すると、ステップＳ１６の処理へ進む。
【００７４】
ステップＳ１６では、ステップＳ１３において画像表示装置１００ｂの画像表示装置側制御部１４０が画像表示装置側通信部１２０の監視を開始した時点から所定の監視時間（たとえば５秒程度）以内に、該画像表示装置側制御部１４０によって返答データが認識された場合、ステップＳ２１へ処理が進み、認識されなかった場合、ステップＳ１７へ処理が進む。ステップＳ１６において画像表示装置１００ｂが返答データを認識するのは、ステップＳ１５において画像表示装置１００ａから返答データが送信され、かつ、該画像表示装置１００ａの通信速度設定値と画像表示装置１００ｂの通信速度設定値とが同じときである。ステップＳ１６では、画像表示装置側制御部１４０は、返答データを認識した時点か、または、監視時間の経過時点で、画像表示装置側通信部１２０の監視を終了する。
【００７５】
ステップＳ１７は、画像表示装置１００ｂが監視を開始した時点（ステップＳ１３）から所定の監視時間以内に該画像表示装置１００ｂによって返答データが認識されなかった場合に行われる第３の下流側再送信ステップであって、該画像表示装置１００ｂが、通信速度設定値を変更し、変更後の通信速度設定値に従って、上流側の装置である画像表示装置１００ａに対して速度確認用データを送信する第３の下流側再送信ステップである。より詳細には、ステップＳ１７では、画像表示装置１００ｂの画像表示装置側制御部１４０が、画像表示装置側記憶部１３０に記憶されている通信速度設定値を変更し、速度確認用データ（「ＳＰＥＥＤ」）を生成し、該速度確認用データを、画像表示装置側通信部１２０を介して、変更後の通信速度設定値に基づく通信速度で、画像表示装置１００ａへ送信する。
【００７６】
ステップＳ１７では、４種類の通信速度設定値のうち、ステップＳ５、ステップＳ９、およびステップＳ１３において速度確認用データを送信したときの通信速度設定値とは異なる通信速度設定値に変更される。本実施形態では、４番目に大きな通信速度設定値（９６００ｂｐｓ）、すなわち、１９２００ｂｐｓよりも小さな値に変更される。
【００７７】
画像表示装置１００ｂは、さらに、ステップＳ１７において、速度確認用データを送信した時点から、画像表示装置側通信部１２０の監視を開始する。このようなステップＳ１７の処理が終了すると、ステップＳ１８の処理へ進む。
【００７８】
画像表示装置１００ａの通信速度設定値が画像表示装置１００ｂの通信速度設定値と同じ値（９６００ｂｐｓ）である場合、画像表示装置１００ａは、ステップＳ１７において送信された速度確認用データを受信すると、画像表示装置側制御部１４０によって、受信したデータが速度確認用データであることを認識する（ステップＳ１８）。すなわち、上流側の装置である画像表示装置１００ａは、「ＳＰＥＥＤ」という速度確認用データを認識する。画像表示装置１００ａの通信速度設定値が画像表示装置１００ｂの通信速度設定値と同じ値（９６００ｂｐｓ）でない場合、画像表示装置１００ａの画像表示装置側制御部１４０は、速度確認用データを受信しても、受信したデータが速度確認用データであることは認識できない。
【００７９】
さらに、ステップＳ１８では、画像表示装置１００ａは、速度確認用データを認識すると、画像表示装置側記憶部１３０に記憶されている決定フラグデータに基づいて、画像表示装置側制御部１４０によって、通信速度設定値が決定済みか未決定かを確認する。速度確認用データを認識し、かつ、通信速度設定値が決定済みであると確認された場合のみ、ステップＳ１９へ処理が進み、そうでない場合は、ステップＳ２０へ処理が進む。
【００８０】
ステップＳ１９は、通信速度設定値が決定済みの上流側の装置である画像表示装置１００ａが、下流側の装置である画像表示装置１００ｂからデータが送信されてきたときに、決定済みの通信速度設定値に従って、該画像表示装置１００ｂに対して返答データを送信する第４の上流側送信ステップである。より詳細には、ステップＳ１９では、画像表示装置１００ａの画像表示装置側制御部１４０が、返答データ（「ＯＫ」）を生成し、生成した返答データを、ステップＳ１８において速度確認用データを認識してから所定時間（たとえば１秒程度）以内に、画像表示装置側通信部１２０を介して、画像表示装置側記憶部１３０に記憶されている通信速度設定値に基づく通信速度で、画像表示装置１００ｂへ送信する。ステップＳ１９の処理が終了すると、ステップＳ２０の処理へ進む。
【００８１】
ステップＳ２０では、ステップＳ１７において画像表示装置１００ｂの画像表示装置側制御部１４０が画像表示装置側通信部１２０の監視を開始した時点から所定の監視時間（たとえば５秒程度）以内に、該画像表示装置側制御部１４０によって返答データが認識された場合、ステップＳ２１へ処理が進み、認識されなかった場合、ステップＳ５へ処理が進む。ステップＳ２０において画像表示装置１００ｂが返答データを認識するのは、ステップＳ１９において画像表示装置１００ａから返答データが送信され、かつ、該画像表示装置１００ａの通信速度設定値と画像表示装置１００ｂの通信速度設定値とが同じときである。ステップＳ２０では、画像表示装置側制御部１４０は、返答データを認識した時点か、または、監視時間の経過時点で、画像表示装置側通信部１２０の監視を終了する。
【００８２】
ステップＳ２１は、下流側の装置である画像表示装置１００ｂが、上流側の装置である画像表示装置１００ａから送信されてきた返答データを認識したときに、該返答データを認識したときの通信速度設定値を、該画像表示装置１００ａの通信速度設定値と同じ通信速度設定値に決定する速度決定ステップである。より詳細には、ステップＳ２１では、画像表示装置１００ａの画像表示装置側制御部１４０が、返答データ（「ＯＫ」）を認識したときに、画像表示装置側記憶部１３０に記憶されている決定フラグデータを、未決定の状態を示すデータから、決定済みの状態を示すデータに書き換える。
【００８３】
ステップＳ８の処理の次にステップＳ２１の処理が行われる場合は、画像表示装置側記憶部１３０に記憶されている通信速度設定値は１１５２００ｂｐｓであり、この状態で、決定フラグデータが決定済みの状態を示すデータに書き換えられる。ステップＳ１２の処理の次にステップＳ２１の処理が行われる場合は、画像表示装置側記憶部１３０に記憶されている通信速度設定値は３８４００ｂｐｓであり、この状態で、決定フラグデータが決定済みの状態を示すデータに書き換えられる。ステップＳ１６の処理の次にステップＳ２１の処理が行われる場合は、画像表示装置側記憶部１３０に記憶されている通信速度設定値は１９２００ｂｐｓであり、この状態で、決定フラグデータが決定済みの状態を示すデータに書き換えられる。ステップＳ２０の処理の次にステップＳ２１の処理が行われる場合は、画像表示装置側記憶部１３０に記憶されている通信速度設定値は９６００ｂｐｓであり、この状態で、決定フラグデータが決定済みの状態を示すデータに書き換えられる。
【００８４】
このように、ステップＳ２１の処理によって、下流側の装置である画像表示装置１００ｂの通信速度設定値が、上流側の装置である画像表示装置１００ａの通信速度設定値と同じ値に決定される。その結果、画像表示装置１００ａと画像表示装置１００ｂとの間でのデータ通信が可能になり、通信速度設定値決定処理が終了する。
【００８５】
このような通信速度設定値決定処理によれば、上流側の画像表示装置１００ａの通信速度設定値と下流側初期送信ステップ（ステップＳ５）のときの下流側の画像表示装置１００ｂの通信速度設定値とが同じである場合、速度決定ステップ（ステップＳ２１）において、画像表示装置１００ｂの通信速度設定値を、下流側初期送信ステップ（ステップＳ５）のときの通信速度設定値に決定することができる。そして、通信速度設定値の決定後は、決定済みの通信速度設定値に従って、画像表示装置１００ａと画像表示装置１００ｂとの間で、データ通信を行うことができる。
【００８６】
また、画像表示装置１００ａの通信速度設定値と下流側初期送信ステップ（ステップＳ５）のときの画像表示装置１００ｂの通信速度設定値とが異なり、画像表示装置１００ａの通信速度設定値が、第１〜第３の下流側再送信ステップ（ステップＳ９、ステップＳ１３、ステップＳ１７）のときの画像表示装置１００ｂの変更後の通信速度設定値のうちのいずれか１つと同じである場合、速度決定ステップ（ステップＳ２１）において、画像表示装置１００ｂの通信速度設定値を、下流側再送信ステップ（ステップＳ９、ステップＳ１３、またはステップＳ１７）のときの変更後の通信速度設定値に決定することができる。そして、通信速度設定値の決定後は、決定済みの通信速度設定値に従って、画像表示装置１００ａと画像表示装置１００ｂとの間で、データ通信を行うことができる。
【００８７】
このように、本発明に係る通信速度設定値決定処理では、下流側初期送信ステップ（ステップＳ５）と第１〜第３の下流側再送信ステップ（ステップＳ９、ステップＳ１３、ステップＳ１７）とによって、画像表示装置１００ｂの通信速度設定値を、画像表示装置１００ａの通信速度設定値と同じ値に決定することができる。よって、デイジーチェーン接続方式の表示システム１０００において、各画像表示装置１００の通信速度設定値を同じ値に決定するための労力を少なくすることができる。
【００８８】
本実施形態では、表示システム１０００は、速度決定ステップ（ステップＳ２１）を行うまで、下流側初期送信ステップ（ステップＳ５）および第１〜第３の下流側再送信ステップ（ステップＳ９、ステップＳ１３、ステップＳ１７）を繰り返し行っている。たとえば、上流側の画像表示装置１００ａの通信速度設定値が未決定である場合、下流側初期送信ステップ（ステップＳ５）および第１〜第３の下流側再送信ステップ（ステップＳ９、ステップＳ１３、ステップＳ１７）が繰り返し行われる。このように同じ処理が繰り返されている間に、ユーザなどによって、画像表示装置１００ａの通信速度設定値が決定されると、下流側の画像表示装置１００ｂの通信速度設定値も決定されることになる。したがって、本実施形態では、より確実に、画像表示装置１００ｂの通信速度設定値を、画像表示装置１００ａの通信速度設定値と同じ値に決定することができる。
【００８９】
なお、本発明の他の実施形態としては、下流側初期送信ステップ（ステップＳ５）および第１〜第３の下流側再送信ステップ（ステップＳ９、ステップＳ１３、ステップＳ１７）を、それぞれ１回ずつ行った場合において、速度決定ステップ（ステップＳ２１）が行われなかったとき、通信速度設定値決定処理を終了するように、表示システム１０００が構成されてもよい。
【００９０】
また本実施形態では、第１〜第４の上流側送信ステップ（ステップＳ７、ステップＳ１１、ステップＳ１５、ステップＳ１９）において、上流側の画像表示装置１００ａが、下流側の画像表示装置１００ｂから送信されてきた速度確認用データを認識したときのみ、該画像表示装置１００ｂに対して返答データを送信している。画像表示装置１００ａが速度確認用データを認識できるのは、画像表示装置１００ａの通信速度設定値と画像表示装置１００ｂの通信速度設定値とが同じ場合である。したがって、本実施形態では、速度決定ステップ（ステップＳ２１）だけではなく、第１〜第４の上流側送信ステップ（ステップＳ７、ステップＳ１１、ステップＳ１５、ステップＳ１９）においても、画像表示装置１００ａの通信速度設定値と画像表示装置１００ｂの通信速度設定値とが同じ値であることが確認されている。これによって、画像表示装置１００ｂの通信速度設定値が画像表示装置１００ａの通信速度設定値とは異なる値に誤って決定されてしまうことを、防止することができる。
【００９１】
なお、上流側の画像表示装置１００ａは、速度確認用データを認識できない場合であっても、受信することはできる。そこで、本発明の他の実施形態としては、速度確認用データであることを認識したか否かにかかわらず、下流側の画像表示装置１００ｂからデータを受信したときに、画像表示装置１００ａが画像表示装置１００ｂに対して返答データを送信してもよい。この場合は、画像表示装置１００ａによる速度確認用データの認識処理が省略されるので、画像表示装置１００ａは返答データを早く送信することができ、ひいては、画像表示装置１００ｂの通信速度設定値が決定されるまでの時間を短縮することができる。
【００９２】
また本実施形態では、第１〜第３の下流側再送信ステップ（ステップＳ９、ステップＳ１３、ステップＳ１７）において、下流側の画像表示装置１００ｂの通信速度設定値は、大きな値から次第に小さな値に変更されている。すなわち、本実施形態の下流側の画像表示装置１００ｂは、速度確認用データの送信について、通信速度設定値が大きな順に試行している。
【００９３】
いずれの通信速度設定値が上流側の画像表示装置１００ａの通信速度設定値と同じ値に決定されるかは、表示システム１０００の構成によって異なるので、下流側の画像表示装置１００ｂの通信速度設定値が上流側の画像表示装置１００ａの通信速度設定値と同じ値に決定されるまでの所要時間を必ず最短にすることができるような通信速度設定値の試行順序は存在しない。しかしながら、通信速度設定値が大きい方が、速度確認用データの送信に掛かる時間は短いので、本実施形態のように通信速度設定値が大きな順に試行することで、通信速度設定値決定処理が開始されてから下流側の画像表示装置１００ｂの通信速度設定値が上流側の画像表示装置１００ａの通信速度設定値と同じ値に決定されるまでの所要時間についての、構成が種々異なる表示システム１０００間の平均所要時間を短くすることができる。なお、本発明の他の実施形態としては、下流側の画像表示装置１００ｂが、速度確認用データの送信について、通信速度設定値が小さな順に試行するように構成されてもよい。
【００９４】
また本実施形態では、下流側の画像表示装置１００ｂの通信速度設定値が決定済みである場合、速度一致確認ステップ（ステップＳ２）において、上流側の画像表示装置１００ａにおける決定済みの通信速度設定値と下流側の画像表示装置１００ｂにおける決定済みの通信速度設定値とが一致しているか否かを確認している。そして、上流側の画像表示装置１００ａにおける決定済みの通信速度設定値と下流側の画像表示装置１００ｂにおける決定済みの通信速度設定値とが一致していなかった場合、初期化ステップ（ステップＳ４）において、下流側の画像表示装置１００ｂは、決定済みの通信速度設定値を未決定の状態に戻している。その後、ステップＳ５〜ステップＳ２１の処理を行い、下流側の画像表示装置１００ｂの通信速度設定値を、上流側の画像表示装置１００ａの通信速度設定値と同じ値に決定している。
【００９５】
このように、本実施形態では、速度一致確認ステップ（ステップＳ２）と初期化ステップ（ステップＳ４）とを行うことによって、上流側の画像表示装置１００ａの通信速度設定値と下流側の画像表示装置１００ｂの決定済みの通信速度設定値とが異なる場合であっても、下流側の画像表示装置１００ｂの通信速度設定値を、上流側の画像表示装置１００ａの通信速度設定値と同じ値に決定することができる。
【００９６】
なお、速度一致確認ステップおよび初期化ステップは、下流側初期送信ステップよりも先に行われる必要は無く、たとえば、速度決定ステップの後に、速度一致確認ステップおよび初期化ステップが行われてもよい。速度決定ステップの後に速度一致確認ステップを行い、決定済みの通信速度値が異なる場合には初期化ステップを行って、再度、ステップＳ５〜ステップＳ２１の処理を行うことで、より確実に、下流側の画像表示装置１００ｂの通信速度設定値を、上流側の画像表示装置１００ａの通信速度設定値と同じ値に決定することができる。
【００９７】
本発明の他の実施形態としては、通信速度設定値が決定済みの画像表示装置１００は通信速度設定値決定処理を行わないように構成されてもよい。この場合において、上流側の画像表示装置１００ａの決定済みの通信速度設定値と下流側の画像表示装置１００ｂの決定済みの通信速度設定値とが異なるときは、ユーザによって通信速度設定値が同じ値に揃えられるまで、表示システム１０００は待機状態になる。
【００９８】
また、本発明の他の実施形態としては、画像表示装置１００ｂが画像表示装置１００ａの通信速度設定値と同じ通信速度設定値に決定した処理と同様にして、最上流の装置である画像表示装置１００ａが画像供給装置２００の通信速度設定値と同じ通信速度設定値に決定するように、表示システム１０００が構成されてもよい。この場合、画像供給装置２００は、画像表示装置１００ａからデータが送信されてきたときに、通信速度設定値に従って、該画像表示装置１００ａに対して返答データ（「ＯＫ」）を送信するように構成される。また、画像表示装置１００ａは画像表示装置１００ｂと同様の処理を行う。
【００９９】
このように表示システム１０００を構成することで、最上流の画像表示装置１００ａの通信速度設定値を手動で決定しなくても、すべての画像表示装置１００の通信速度設定値を決定することができる。
【符号の説明】
【０１００】
１００，１００ａ，１００ｂ，１００ｃ  画像表示装置
１１０  表示部
１２０  画像表示装置側通信部
１３０  画像表示装置側記憶部
１４０  画像表示装置側制御部
２００  画像供給装置
２１０  画像供給装置側記憶部
２２０  画像供給装置側通信部
２３０  画像供給装置側制御部
１０００  表示システム
【図１】
2012124618.tif 000003
【図２】
2012124618.tif 000004
【図３】
2012124618.tif 000005
【図４Ａ】
2012124618.tif 000006
【図４Ｂ】
2012124618.tif 000007